(57)【要約】【解決手段】航空機ギャレー用ギャレーインサートまたは機器（１２）の電気的接続インターフェースシステムは、機器電源及び制御ユニットまたはギャレー電源及び制御ユニット（１４）に電気的に接続されるように構成された高度インターフェース（１０）を備える。現在好適な態様において、ギャレーインサートまたは機器（１２）は、オーブン、冷蔵庫または冷却装置であってもよい。【選択図】図１
2016528085.tif 000002
【特許請求の範囲】
【請求項１】
ギャレーインサートの動作制御だけでなく、前記ギャレーインサートに電力を供給するギャレー電源及び制御ユニットを有する、航空機ギャレー用ギャレーインサートの電気的接続インターフェースであって、前記電気的接続インターフェースは、
ギャレーインサートと、
ギャレー電源及び制御ユニットに接続されて前記ギャレーインサートに電力及び動作制御を供給するように構成された機器電源及び制御ユニットと、
前記ギャレーインサートと電気通信可能に、取り外し可能に接続された高度インターフェースであって、前記ギャレーインサートに電力及び前記ギャレーインサートの動作制御を供給するように構成された高度インターフェースと、
を備える、電気的接続インターフェース。
【請求項２】
前記高度インターフェースは、前記ギャレーインサートの上部後方部に取り付けられる、
請求項１に記載の電気的接続インターフェース。
【請求項３】
前記ギャレーインサートは、オーブンを含む、
請求項１に記載の電気的接続インターフェース。
【請求項４】
前記ギャレーインサートは、冷蔵庫を含む、
請求項１に記載の電気的接続インターフェース。
【請求項５】
前記ギャレーインサートは、冷却装置を含む、
請求項１に記載の電気的接続インターフェース。
【請求項６】
前記高度インターフェースは、通常動作のために前記ギャレーインサートによって使用される電力を伝導する複数の雄型インターフェース接続ポイントを備える、
請求項１に記載の電気的接続インターフェース。
【請求項７】
前記高度インターフェースは、通常動作のために前記ギャレーインサートによって使用されるデータを通信する複数の雄型インターフェース接続ポイントを備える、
請求項１に記載の電気的接続インターフェース。
【請求項８】
前記高度インターフェースは、前記ギャレーインサートと、機器電源及び制御ユニットとの間のフローティング接続を可能にするように構成される、
請求項１に記載の電気的接続インターフェース。
【請求項９】
ギャレー機器の動作制御だけでなくギャレー機器に電力を供給するギャレー電源及び制御ユニットを有する航空機ギャレー用ギャレー機器の電気的接続インターフェースであって、前記電気的接続インターフェースは、
ギャレー機器と、
ギャレー電源及び制御ユニットに接続されて、前記ギャレー機器に電力及び動作制御を供給するように構成された機器電源及び制御ユニットと、
前記ギャレー機器と電気通信可能に、取り外し可能に接続された高度インターフェースであって、前記ギャレー機器に電力及び前記ギャレー機器の動作制御を供給するように構成された高度インターフェースと、
を備える、電気的接続インターフェース。
【請求項１０】
前記高度インターフェースは、前記ギャレー機器の上部後方部に取り付けられる、
請求項９に記載の電気的接続インターフェース。
【請求項１１】
前記ギャレー機器は、オーブンを含む、
請求項９に記載の電気的接続インターフェース。
【請求項１２】
前記ギャレー機器は、冷蔵庫を含む、
請求項９に記載の電気的接続インターフェース。
【請求項１３】
前記ギャレー機器は、冷却装置を含む、
請求項９に記載の電気的接続インターフェース。
【請求項１４】
前記高度インターフェースは、通常動作のために前記ギャレー機器によって使用される電力を伝導する複数の雄型インターフェース接続ポイントを備える、
請求項９に記載の電気的接続インターフェース。
【請求項１５】
前記高度インターフェースは、通常動作のために前記ギャレー機器によって使用されるデータを通信する複数の雄型インターフェース接続ポイントを備える、
請求項９に記載の電気的接続インターフェース。
【請求項１６】
前記高度インターフェースは、前記ギャレー機器と、機器電源及び制御ユニットとの間のフローティング接続を可能にするように構成される、
請求項９に記載の電気的接続インターフェース。
【発明の詳細な説明】
【技術分野】
【０００１】
関連出願の相互参照
本出願は、２０１３年６月１８日に出願された米国仮特許出願第６１／８３６，４５９号、及び、２０１４年６月１３日に出願された米国非仮特許出願第１４／３０４，０７４号の優先権を主張し、それらの内容を参照により組み込む。
【０００２】
本発明は、一般的に、輸送機ギャレーシステムに関し、特に、航空機ギャレー用ギャレーインサートまたは機器の改善された電気的接続インターフェースシステムに関する。
【背景技術】
【０００３】
機内食サービスを提供する民間航空機の航空機ギャレーシステムは、一般的に、航空機に搭乗中に提供される温かい食事を準備するため食料を加熱する独立したオーブンだけでなく、乗客に提供する前に食料が腐敗することを防止するため、及び、飲料を所望の提供温度に保つために、冷却された自立型冷蔵ユニットを内蔵している。現在、同じギャレーにおいて、または、異なるギャレーにおいて、加熱装置と冷却装置のそれぞれに対して別々に空間を割り当てなければならない。
【０００４】
航空機ギャレー用ギャレーインサートまたは機器の従来の電気的接続インターフェースは、一般的に、多くの複雑な内部電気系統及び他のシステムを伴うため、そのような航空機ギャレー電気系統の長さ、複雑さ及び重量に著しく寄与するとともに、電気的接続インターフェースが完成した後、ギャレーインサートまたは機器の移動による断線により損傷を受けることがある。
【０００５】
内部電気ケーブル配線の長さ、電波障害保護及び他のサービスを削減することで、ギャレーインサートまたは機器全体の重量を削減可能な高度インターフェースを提供することが望ましい。また、機器電源及び制御ユニットとギャレーインサートまたは機器との間の接続長さを著しく短くすることで、及び、機器電源及び制御ユニットとギャレー電源及び制御ユニットとの間の接続長さを短くすることで、ギャレー電気配線及びデータシステムの重量を削減可能な高度インターフェースを提供することが望ましい。さらに、従来の作業ラインで交換可能なユニットのように、付加的な機器の必要なく、ギャレーインサートまたは機器を取り付けること及び取り外すことが可能な高度インターフェースを提供することが望ましい。また、水系統をインターフェース接続ポイントよりも下に配置することで、電気系統と水系統とを極めて安全に分離する高度インターフェースを提供することが望ましい。さらに、異なる種類のギャレーインサートまたは機器に共通の電気的インターフェースであって、所与の場所内で互換性を実現し、ギャレーインサートまたは機器と機器電源及び制御ユニットとの両方におけるフローティングを実現して、移動による損傷または断線を防止する、高度インターフェースを提供することが望ましい。本発明は、これら及び他の要求を満たす。
【発明の概要】
【課題を解決するための手段】
【０００６】
手短に大まかに言うと、本発明は、機器電源及び制御ユニットと機器との間、機器電源及び制御ユニットとギャレー電源及び制御ユニットとの間の接続長さを著しく短くすることで、内部電気ケーブル配線の長さ及び重量、電波障害保護及びデータシステムを削減することが可能であり、付加的な機器の必要なしで、従来の作業ラインで交換可能なユニットのようにギャレーインサートまたは機器を取り付けること及び取り外すことが可能であり、互換性を実現し、損傷または断線なしでギャレーインサートまたは機器及び機器電源及び制御ユニットの移動を可能にする、航空機ギャレー用ギャレーインサートまたは機器の改善された電気的接続インターフェースシステムを提供する。
【０００７】
従って、本発明は、航空機ギャレー用のギャレーインサートまたは機器の改善された電気的接続インターフェースシステムであって、機器電源及び制御ユニットまたはギャレー電源及び制御ユニットと電気的に接続されるように構成された高度インターフェースを備える、改善された電気的接続インターフェースシステムを提供する。現在好適な態様において、ギャレーインサートまたは機器は、例えば、オーブン、冷蔵庫、または、冷却装置であってもよい。
【０００８】
従って、本発明は、ギャレーインサートの動作制御だけでなくギャレーインサートに電力を供給するギャレー電源及び制御ユニットを有する航空機ギャレー用ギャレーインサートの電気的接続インターフェースシステムを提供する。電気的接続インターフェースシステムは、ギャレーインサートと、ギャレー電源及び制御ユニットに接続されてギャレーインサートに電力及び動作制御を供給するように構成された機器電源及び制御ユニットと、ギャレーインサートと電気通信可能に、取り外し可能に接続された高度インターフェースであって、ギャレーインサートに電力を供給し、ギャレーインサートの動作制御を提供するように構成された高度インターフェースとを備える。現在好適な態様において、高度インターフェースは、ギャレーインサートの上部後方部に取り付けられる。
【０００９】
別の現在好適な態様において、ギャレーインサートは、例えば、オーブン、冷蔵庫または冷却装置であってもよい。別の現在好適な態様において、高度インターフェースは、通常動作のためにギャレーインサートによって使用される電力を伝導する複数の雄型インターフェース接続ポイントを備える。別の現在好適な態様において、高度インターフェースは、通常動作のためにギャレーインサートによって使用されるデータを通信する複数の雄型インターフェース接続ポイントを備える。別の現在好適な態様において、高度インターフェースは、ギャレーインサートと、機器電源及び制御ユニットとの間のフローティング接続を可能にするように構成される。
【００１０】
本発明はまた、ギャレー機器の動作制御だけでなくギャレー機器に電力を供給するギャレー電源及び制御ユニットを有する、航空機ギャレー用ギャレー機器の電気的接続インターフェースシステムを提供する。電気的接続インターフェースシステムは、ギャレー機器と、ギャレー電源及び制御ユニットに接続されてギャレー機器に電力及び動作制御を供給するように構成された機器電源及び制御ユニットと、ギャレー機器に電気通信可能に、取り外し可能に接続された高度インターフェースであって、ギャレー機器に電力を供給し、ギャレー機器の動作制御を提供するように構成された高度インターフェースとを備える。
【００１１】
現在好適な態様において、高度インターフェースは、ギャレー機器の上部後方部に取り付けられる。別の現在好適な態様において、ギャレー機器は、例えば、オーブン、冷蔵庫または冷却装置であってもよい。別の現在好適な態様において、高度インターフェースは、通常動作のためにギャレー機器に使用される電力を伝導する複数の雄型インターフェース接続ポイントを備える。別の現在好適な態様において、高度インターフェースは、通常動作のためにギャレー機器によって使用されるデータを通信する複数の雄型インターフェース接続ポイントを備える。別の現在好適な態様において、高度インターフェースは、ギャレー機器と、機器電源及び制御ユニットとの間のフローティング接続を可能にするように構成される。
【００１２】
本発明の他の特徴および利点が、例として、本発明の作用を図示する添付の図面と合わせて以下の好適な実施形態の詳細な記載から明らかになるだろう。
【図面の簡単な説明】
【００１３】
【図１】本発明に係る航空機ギャレー用ギャレーインサートまたは機器の改善された電気的接続インターフェースシステムの斜視図である。
【発明を実施するための形態】
【００１４】
例示の目的のため及び例として提供される図面を参照すると、本発明は、航空機ギャレー用ギャレーインサートまたは機器の改善された電気的接続インターフェースシステムを提供する。電気的接続インターフェースは、好ましくは、例えば、オーブン、冷蔵庫または冷却装置などのギャレーインサートまたは機器１２と電気通信可能に接続された共通の高度インターフェース１０であって、ギャレーインサートまたは機器の動作制御だけでなく、ギャレーインサートまたは機器に電力を供給するように構成された共通の高度インターフェース１０である。共通の高度インターフェースは、同様に、ギャレーインサートまたは機器の動作制御だけでなく、ギャレーインサートまたは機器に電力を供給する、（図示しない）航空機ギャレーの機器電源及び制御ユニットまたはギャレー電源及び制御ユニット１４に取り外し可能に接続されるように構成される。共通高度インターフェースは、通常動作のためにギャレーインサートまたは機器によって使用される電気サービス、データサービス及び他のサービスのための雄型インターフェース接続ポイント１６を提供し、一般的に、（図示しない）ギャレー構造物上に取り付けられた対応する雌型コネクタと共に、ギャレーインサートまたは機器の上部後方部１８に配置される。
【００１５】
本発明の改善された電気的接続インターフェースは、機器電源及び制御ユニットと機器との間の接続長さを著しく短くすること、及び、機器電源及び制御ユニットとギャレー電源及び制御ユニットとの間の接続長さを著しく短くすることで、内部電気ケーブル配線の長さ及び重量、電波障害保護及びデータシステムを削減可能であり、付加的な機器の必要なしで、従来の作業ラインで交換可能なユニットのようにギャレーインサートまたは機器を取り付けること及び取り外すことを可能にし、互換性を実現する。ギャレーインサートまたは機器は、損傷または断線なしで、機器電源及び制御ユニットまたはギャレー電源及び制御ユニットに対してある限られた程度まで移動してもよい。
【００１６】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
2016528085.tif 000003
【国際調査報告】
2016528085.tif 000004
2016528085.tif 000005
2016528085.tif 000006